(57)【要約】【課題】  本発明は、電池用セパレータの連続長尺シートの一端を粘着テープで巻芯表面に固定し巻回保持した電池用セパレータ巻回体において、電池組立ラインに供給された際、巻き戻し作業者が巻回体の切り替え時に短時間に粘着テープ除去作業とシート連結作業を安全かつ確実に行えるようにした電池用セパレータ巻回体を提供することを目的とする。【解決手段】  本発明の電池用セパレータ巻回体は、電池用セパレータの連続長尺シートを巻芯に巻回保持した電池用セパレータ巻回体において、前記巻芯表面に対して前記シート端が、両面が非粘着面となる縁部を有した片面粘着テープ片で貼り付け固定されていることを特徴とする。【選択図】  なし【特許請求の範囲】
【請求項１】
電池用セパレータの連続長尺シートを巻芯に巻回保持した電池用セパレータ巻回体において、前記巻芯表面に対して前記シート端が、両面が非粘着面となる縁部を有した片面粘着テープ片で貼り付け固定されていることを特徴とする電池用セパレータ巻回体。
【請求項２】
前記縁部は、前記片面粘着テープ片の粘着面側への折り返し部であることを特徴とする請求項１記載の電池用セパレータ巻回体。
【請求項３】
前記片面粘着テープ片の前記縁部に隣接する粘着面が、前記シート面に貼り付け固定されていることを特徴とする請求項１または２記載の電池用セパレータ巻回体。
【発明の詳細な説明】
【技術分野】
【０００１】
本発明は、電池用セパレータ巻回体に関する。
【背景技術】
【０００２】
従来、図１、２、４に示すように、連続長尺シートとして製造された電池用セパレータ１は、巻芯２に巻き取ってロール状の電池用セパレータ巻回体１０とされるが、前記シート１を巻回する際、通常、巻芯２に対して前記シート１の一端を、クラフトテープ、マスキングテープ等の粘着テープ３（主に紙製の基材にアクリル系やゴム系の接着剤を塗布したもの）で固定するようにしている。
【０００３】
このように電池用セパレータ巻回体１０とされたセパレータシート１は、その後巻き戻しされながら、電池組立工程にて連続使用（連続ライン使用）されるが、シート１の巻き戻し終端（巻き取り始端）に到達した際に次のような不具合が発生する。
【０００４】
セパレータシート１の巻き戻し終端は上記したように巻芯２に粘着テープ３で貼り付け固定されているが、粘着テープ３による巻芯２への固定力が強過ぎると、終端まで巻き戻した際にフィード力により巻芯２からシート１がスムーズに離脱せずシート１に異常な張力が加わり、終端部近傍のシートを傷める（変形、破損等）という不具合を起こす。
【０００５】
一方、粘着テープ３の粘着力を弱くしたり粘着テープ３の幅を狭くしたりして粘着テープ３による巻芯２への固定力を弱めるようにすれば、終端まで巻き戻した際にもシート１に異常な張力をかけることなくフィード力により巻芯２からシート１をスムーズに離脱させるようにできるが、巻芯２から離脱したセパレータシート１には粘着面が露出した状態で粘着テープ３が付随していくことになり、この粘着面露出部分３ａによって、その後のフィードロールに粘着テープ３が貼り付きライン停止等の不具合を起こす。
【０００６】
逆に、付随していった粘着テープ３の粘着面露出部分３ａの粘着力が弱い場合など結果的にフィードロールへの貼り付き現象を生じない場合には、セパレータシート１に付随していった粘着テープ３がセパレータ１の電池組み込みと同時に電池内へ混入するという不具合を起こす。
【０００７】
以上のような不具合を避けるため、現状では、通常、作業者が、セパレータシート１の巻き戻し終端を巻芯２から粘着テープ３を剥離させる等して離脱させた上で、粘着テープ３の粘着面露出部分３ａ（セパレータシート面からはみ出した部分）をＬ１に沿ってハサミやカッターナイフ等の刃物で切除するようにしている。
【０００８】
尚、通常、セパレータシートは、第１の巻回体のセパレータシートを巻き戻し終えた時点で、第２の巻回体のセパレータシートを連続してラインへ供給するため、第１のセパレータシートの巻き戻し終端部と第２のセパレータシートの巻き戻し始端部を超音波溶着等の接合手段により連結するようにしている。
【０００９】
尚、超音波溶着により両シートの連結を行う場合では、粘着テープ（あるいは粘着テープが剥離した後の粘着剤）が連結部分に残存していると、粘着テープの材質（例えば、クラフトテープ）によっては、粘着テープ（あるいは粘着剤）残存部分の溶着力が弱いあるいはゼロで連結が不十分となり、その後のフィード中に連結が外れる（ライン停止につながる）不具合を起こす可能性があるため、通常、粘着テープとしてクラフトテープ等の溶着作用を得にくい粘着テープを使用する場合には、上記した粘着テープの切除作業の際、図２に示すように、セパレータシート１面からはみ出した部分３ａだけでなく、セパレータシート１面に付随残存した粘着テープ３（あるいは剥離後に残存した粘着剤）全体をＬ２に沿って切除するようにしている。
【００１０】
尚、電池組立ラインへ供給されたセパレータシートの連結部分は、通常、セパレータシートを所定寸法に裁断していく工程中で、排除されるようになっている。
【００１１】
【特許文献１】特開２００３−２９７３２６公報
【発明の開示】
【発明が解決しようとする課題】
【００１２】
しかしながら、上記のような作業方法をとる場合では、作業者が、ラインが連続稼動している中で、第１の巻回体のセパレータシートの巻き戻しが終了間近に差しかかった時点を見計らい、第１のセパレータシートの巻き戻し終端を巻芯から離脱させ、粘着テープの粘着面露出部分を刃物で切除し、続いて第２のセパレータシートの巻き戻し始端を引き出し、第１、第２のセパレータシートの端部同士を接合するという一連の作業を、第２のセパレータシートのフィードが開始されるまでの限られた時間内にスムーズに行う必要がある。そのため、前記した刃物を使った粘着テープの切除作業もごく僅かな時間内に行わなければならず、しばしば、作業者が焦って刃物で怪我をする、粘着テープの切除が不完全なまま後工程に送ってしまうといった問題があった。
【００１３】
そこで、本出願人は、この問題点を解消すべく、巻芯へのセパレータシート巻き取り始端の固定方法として、巻芯表面に設けた舌片と巻芯表面との間にセパレータシートの一端を挟持するという粘着テープを使用しない新たな固定方法を見出し提案した（特許文献１）。特許文献１の方法によれば、上記従来の問題点の根源であったセパレータシート面と巻芯表面とを接着材を介して接合するといった機構を用いていないため、セパレータシート巻き戻し終端はセパレータシートへ張力を殆ど加えることなく巻芯から離脱でき、しかもセパレータシート面に従来の粘着テープや粘着剤に相当する固定時の残留物を一切残さず、上記従来の問題点を解消できた。
【００１４】
しかしながら、通常、電池用セパレータを巻芯に巻き取り電池用セパレータ巻回体を得る作業は、幅広のセパレータシート原反から実際のセパレータ幅に合わせて複数列に裁断したものを巻き取る作業であり、巻き取ったセパレータシートが所定巻回長に達した時点で、限られた時間内に、最少人数の作業者で、巻き替え作業を行う必要があり、特許文献１のような特殊技能を要する固定方法を伴った巻き替え作業では、最少人数のままでは、巻き替え作業時間が間に合わない、無理矢理間に合わせようとすれば巻き取り始端の固定不良を招く、作業者数を増やせば時間内に作業できるが生産性が低下するといった問題があった。
【００１５】
そこで、本発明は、前記従来の問題点に鑑み、電池用セパレータの連続長尺シートの一端を粘着テープで巻芯表面に固定し巻回保持した電池用セパレータ巻回体において、電池組立ラインに供給された際、巻き戻し作業者が巻回体の切り替え時に短時間に粘着テープ除去作業とシート連結作業を安全かつ確実に行えるようにした電池用セパレータ巻回体を提供することを目的とする。
【課題を解決するための手段】
【００１６】
本発明の電池用セパレータ巻回体は、前記目的を達成するべく、請求項１に記載の通り、電池用セパレータの連続長尺シートを巻芯に巻回保持した電池用セパレータ巻回体において、前記巻芯表面に対して前記シート端が、両面が非粘着面となる縁部を有した片面粘着テープ片で貼り付け固定されていることを特徴とする。
【００１７】
また、請求項２記載の電池用セパレータ巻回体は、請求項１記載の電池用セパレータ巻回体において、前記縁部は、前記片面粘着テープ片の粘着面側への折り返し部であることを特徴とする。
【００１８】
また、請求項３記載の電池用セパレータ巻回体は、請求項１または２記載の電池用セパレータ巻回体において、前記片面粘着テープ片の前記縁部に隣接する粘着面が、前記シート面に貼り付け固定されていることを特徴とする。
【発明の効果】
【００１９】
本発明の電池用セパレータ巻回体によれば、電池組立工程での連続的な巻き戻し使用時に、セパレータシート巻き戻し終端部に付随した粘着テープを、従来のような刃物を用いることなく安全に素手で容易に除去することができる。
【発明を実施するための最良の形態】
【００２０】
本発明の電池用セパレータ巻回体は、セパレータシートの巻き取り始端が、両面が非粘着面となる縁部を有した片面粘着テープ片で前記巻芯表面に対して貼り付け固定されていることを特徴とするもので、前記両面が非粘着面の縁部は、例えば、前記片面粘着テープ片の粘着面側への折り返し部でよい。
【００２１】
また、前記片面粘着テープによる巻芯への固定力は、電池組立工程での連続的な巻き戻し時にセパレータシートをフィード力により巻き戻し終端部に異常な張力等の負荷をかけることなく巻芯からスムーズに剥離させることができるように、巻芯の材質に応じて粘着テープの粘着力、粘着テープ幅、固定長さを選択することが好ましい。本発明の適用に当たっては、巻き上げるセパレータの形状（フラット形状、リブ付き形状）、巻き方向（リブ面表巻き、リブ面裏巻き）のいずれも本効果を限定するものではなく、粘着テープの基材材質も特に限定されるものではない。
【００２２】
前記特徴の片面粘着テープによってセパレータシート端が巻芯に固定された電池用セパレータ巻回体は、巻芯からセパレータシート巻き戻し終端が粘着テープの剥離により容易に離脱し、しかも、セパレータシートに付随した粘着テープは両面が非粘着面の縁部を有するため、該縁部を素手で容易に掴むことができ、刃物を用いずとも素手で安全かつ容易に短時間で、粘着テープのみを引き剥がし取り除くことが可能となる。特に、粘着テープの該縁部に隣接する粘着面がセパレータシート面に貼り付け固定されているように構成すれば、粘着テープの引き剥がし作業がより容易かつスムーズに短時間で行える。
【実施例】
【００２３】
次に、本発明の実施例について従来例とともに詳細に説明する。
（実施例）
図３に示すように、表面がポリエチレンコートされたクラフト紙で構成された、幅１７０ｍｍ、外径２７６ｍｍの円筒状の巻芯２の表面に、幅１６０ｍｍのリブ付きポリエチレン微多孔性フィルムセパレータ（リブ付部の厚み１．０ｍｍ、リブなし部の厚み０．２５ｍｍ）の連続長尺シート１の一端を、リブ面が表側となるように、一端縁を粘着面側に折り返した折り返し部３ｂ（両面が非粘着面の縁部）を設けた３０ｍｍ幅の片面粘着マスキングテープ（日東電工社製  マスキングテープ  Ｎｏ．７２０）片３を用いて、該折り返し部３ｂに隣接する粘着面が前記シート１面に貼り付けられるように貼り付け固定し、巻回体の外周径が８５０ｍｍとなるまで巻き上げ、電池用セパレータ巻回体を得た。
【００２４】
次に、得られた電池用セパレータ巻回体を連続的に巻き戻しながら電池組立を行ったが、セパレータシート１の巻き戻し終端（巻き取り始端）は、シート１に異常な張力が加わることなくフィード力により容易に巻芯２から粘着テープ３の剥離により離脱した。また、セパレータシート１の巻き戻し終端には粘着テープ３が付随していたが、作業者が粘着テープ３の前記折り返し部３ｂ（両面が非粘着面の縁部）を素手で掴み引っ張ることで、セパレータシート１に付随していた粘着テープ３全体を安全かつ容易に短時間で引き剥がすように除去することができた。
【００２５】
（従来例）
図１、２、４に示すように、表面がポリエチレンコートされたクラフト紙で構成された、幅１７０ｍｍ、外径２７６ｍｍの円筒状の巻芯２の表面に、幅１６０ｍｍのリブ付きポリエチレン微多孔性フィルムセパレータ（リブ付部の厚み１．０ｍｍ、リブなし部の厚み０．２５ｍｍ）の連続長尺シート１の一端を、リブ面が表側となるように、折り返し部等の両面が非粘着面の縁部を設けていない３０ｍｍ幅の片面粘着マスキングテープ（日東電工社製  マスキングテープ  Ｎｏ．７２０）片３を用いて貼り付け固定し、巻回体の外周径が８５０ｍｍとなるまで巻き上げ、電池用セパレータ巻回体１０を得た。
【００２６】
次に、得られた電池用セパレータ巻回体１０を連続的に巻き戻しながら電池組立を行ったが、セパレータシート１の巻き戻し終端（巻き取り始端）は、シート１に異常な張力が加わることなくフィード力により容易に巻芯２から粘着テープ３の剥離により離脱したが、セパレータシート１の巻き戻し終端には粘着テープ３が付随してきたため、セパレータシート１面からはみ出した粘着面の露出部分３ａを、作業者が素手の指先でつまんで引っ張ることで引き裂いて除去しようとしたが、粘着力が強いため手に貼り付いて作業がやりにくいとともに、セパレータシート１の幅方向端縁Ｌ１に沿って真っ直ぐに引き裂くことができず、粘着テープ３の切断部が斜めでギザギザになり、セパレータシート１面からはみ出した粘着面露出部分３ａが除去しきれず一部残存する形になった。このため、その後のフィードロールに粘着テープ３が貼り付いてライン停止トラブルを発生させた。
【図面の簡単な説明】
【００２７】
【図１】（ａ）従来の電池用セパレータ巻回体の正面図（ｂ）同側面図
【図２】従来の粘着テープが巻芯から剥離した状態を示す説明図
【図３】本発明の一実施例の電池用セパレータ巻回体の説明図
【図４】従来の電池用セパレータ巻回体の粘着テープの切断状態を示す説明図
【符号の説明】
【００２８】
１  電池用セパレータ（シート）
２  巻芯
３  粘着テープ（片）
３ａ粘着面露出部分（セパレータシート面からはみ出した部分）
３ｂ折り返し部
１０  電池用セパレータ巻回体
【図１】
2009004218.tif 000002
【図２】
2009004218.tif 000003
【図３】
2009004218.tif 000004
【図４】
2009004218.tif 000005